(57)【要約】      （修正有）【課題】簡素な構造によってカード媒体挿入口に挿入されたカード媒体の盗難を防止するとともに、カード媒体の抜き取りが必要な場合においては、特別な部品や専用の工具を使用することなく、容易にカード媒体を抜き取ることが可能なカード媒体挿入口を備えた電子機器を提供する。【解決手段】カード媒体挿入口は、電子機器たるテレビジョン受像機１のバックキャビネット１４に形成されたカード媒体挿入部４に設ける。そして、前記カード媒体挿入部４を閉塞するカバー２を有し、前記カバー２には前記カード媒体挿入口に挿入されたカード媒体５の一端部を挟持して抜き取るための挟持部を設ける。【選択図】図３
0003165883.tif 000002
【実用新案登録請求の範囲】
【請求項１】
カード媒体の挿入を可能とするカード媒体挿入口を備えた電子機器であって、前記カード媒体挿入口は電子機器の筐体に形成されるカード媒体挿入部に設け、前記カード媒体挿入部を閉塞するカバーを有し、前記カバーには前記カード媒体挿入口に挿入されたカード媒体を挟持して抜き取るための挟持部を設けたことを特徴とするカード媒体挿入口を備えた電子機器。
【請求項２】
前記カード媒体挿入部には、カード媒体挿入口に挿入されたカード媒体をカバーに設けられた挟持部を用いて抜き取る際に、前記カバーの端部を当接させたまま摺動を可能とするための溝を前記カード媒体の挿抜方向に延設したことを特徴とする請求項１に記載のカード媒体挿入口を備えた電子機器。
【請求項３】
前記カード媒体挿入部は筐体の一面と隣接する他の面とを跨いで形成し、前記カバーは前記筐体と面一となるように前記カード媒体挿入部を閉塞する形状としたことを特徴とする請求項１又は請求項２の何れか１項に記載のカード媒体挿入口を備えた電子機器。
【考案の詳細な説明】
【技術分野】
【０００１】
本考案は、Ｂ−ＣＡＳカード等の識別情報カード媒体（以下、単にカード媒体と称す）を挿抜可能とするカード媒体挿入口を備えた電子機器に関し、特にカード媒体挿入口に挿入されたカード媒体が素手によっても簡単に抜き取られることを防止したカード媒体の盗難防止機構に関する。
【背景技術】
【０００２】
近年、カード媒体を利用した製品として、テレビジョン受像機、ＳＴＢ（Ｓｅｔ  Ｔｏｐ  Ｂｏｘ）、および記録再生装置等があり、これらの需要増加の要因の一つに放送方式の変更によるものがある。すなわち、テレビジョン放送がアナログ方式からデジタル方式へと変更されることに伴い、デジタル放送を受信するためにＢ−ＣＡＳカードと称されるカード媒体の装着が各種関連製品において必須とされている。通常、Ｂ−ＣＡＳカードのようなカード媒体は放送受信を目的に使用されることから、電子機器に対し常時カード媒体を挿入した状態とする必要があり、換言すれば、電子機器に一度カード媒体を挿入すれば抜き取ることは殆ど無い。
【０００３】
ところで、駅の待合室や病室、家電量販店や旅館のように、多くの人が利用する施設においてもテレビジョン受像機等の電子機器が設置されているが、このような場所においてもデジタル方式によるテレビジョン放送を視聴する際にはカード媒体を挿入する必要がある。そして、前述のように多くの人が利用する場所においては、挿入されたカード媒体が第三者の手によって勝手に抜き取られる行為を防止する何らかの手段が必要となり、例えば、特許文献１に記載されているようなものがある。
【０００４】
特許文献１には、筐体にカード媒体挿入口を有し、前記カード媒体挿入口に挿入されたカード媒体の抜き取りを防止するカードホルダを設けた構造が記載されている。
【０００５】
【特許文献１】特開２００５−１９８０４４号公報
【考案の開示】
【考案が解決しようとする課題】
【０００６】
特許文献１の構造によれば、カードホルダによってカード媒体挿入口に挿入されたカード媒体の抜き取りを防止出来、第三者によるカード媒体の盗難防止を図ることが可能となる。しかし、カード媒体の盗難防止を実現するために専用の部材となるカードホルダが必要になること、また、前記カード媒体を抜き取る際にラジオペンチ等の専用の工具が必要になり、部品点数の増加によるコストアップやカード媒体の抜き取り作業の煩雑さが懸念される。
【０００７】
また、カードホルダの使用によるカード媒体挿入口及びその周辺において前記カードホルダの取り付けスペースが必要となり、ひいては、カード媒体挿入口を備えた電子機器の大型化にも繋がることが考えられる。
【０００８】
本考案は上述した点に鑑みてなされたものであって、その目的とするところは、簡素な構造によってカード媒体挿入口に挿入されたカード媒体の盗難を防止するとともに、カード媒体の抜き取りが必要な場合においては、特別な部品や専用の工具を使用することなく、容易にカード媒体を抜き取ることが可能なカード媒体挿入口を備えた電子機器を提供することにある。
【課題を解決するための手段】
【０００９】
請求項１に係るカード媒体挿入口を備えた電子機器は、カード媒体の挿入を可能とするカード媒体挿入口を備えた電子機器であって、前記カード媒体挿入口は電子機器の筐体に形成されるカード媒体挿入部に設け、前記カード媒体挿入部を閉塞するカバーを有し、前記カバーには前記カード媒体挿入口に挿入されたカード媒体を挟持して抜き取るための挟持部を設けたことを特徴としている。
【００１０】
請求項２に係るカード媒体挿入口を備えた電子機器は、請求項１に記載のカード媒体挿入口を備えた電子機器であって、前記カード媒体挿入部には、カード媒体挿入口に挿入されたカード媒体をカバーに設けられた挟持部を用いて抜き取る際に、前記カバーの端部を当接させたまま摺動を可能とするための溝を前記カード媒体の挿抜方向に延設したことを特徴としている。
【００１１】
請求項３に係るカード媒体挿入口を備えた電子機器は、請求項１又は請求項２の何れか１項に記載のカード媒体挿入口を備えた電子機器であって、前記カード媒体挿入部は筐体の一面と隣接する他の面とを跨いで形成し、前記カバーは前記筐体と面一となるように前記カード媒体挿入部を閉塞する形状としたことを特徴としている。
【考案の効果】
【００１２】
本考案によれば、カバーによってカード媒体挿入部を閉塞することから、カード媒体の盗難防止を図ることが可能となる。また、カード媒体挿入口に挿入されたカード媒体の抜き取りが必要な場合には、カード媒体挿入部を閉塞するカバーに設けられた挟持部によって、カード媒体の抜き取り作業を容易に行うことが出来、従来必要とされていた特別な部品や工具が不要となる。すなわち、電子機器の筐体に形成されたカード媒体挿入部を閉塞するためのカバーにおいて、カード媒体挿入口に挿入されたカード媒体を抜き取るための機能を兼用させたことが本考案の特徴であり、特別な部品や工具を使用することなくカード媒体の抜き取りを実現出来る効果を奏する。
【図面の簡単な説明】
【００１３】
【図１】本考案の実施例におけるカード媒体挿入部を備えた電子機器として、テレビジョン受像機を示す正面側斜視図。
【図２】本考案の実施例におけるテレビジョン受像機を示す背面側斜視図。
【図３】本考案の実施例におけるカード媒体挿入部のカバーを取り外した状態を示すテレビジョン受像機の背面側斜視図。
【図４】本考案の実施例におけるカード媒体挿入口にカード媒体を挿入する前の状態を示すカード媒体挿入部近傍の部分拡大斜視図。
【図５】本考案の実施例におけるカード媒体挿入口にカード媒体を挿入した後の状態を示すカード媒体挿入部近傍の部分拡大斜視図。
【図６】本考案の実施例におけるカード媒体挿入部のカバーによるカード媒体の抜き取りを示すテレビジョン受像機の背面側斜視図。
【図７】本考案の実施例におけるカバーによるカード媒体の抜き取り作業を行う前の状態を示すカード媒体挿入部近傍の部分拡大斜視図。
【図８】本考案の実施例におけるカバーによるカード媒体の抜き取り作業を行う前の状態を示すカード媒体挿入部近傍の断面図。
【図９】本考案の実施例におけるカバーを用いてカード媒体の一端を挟持した状態を示すカード媒体挿入部近傍の部分拡大斜視図。
【図１０】本考案の実施例におけるカバーを用いてカード媒体の一端を挟持した状態を示すカード媒体挿入部近傍の断面図。
【図１１】本考案の実施例におけるカバーによるカード媒体の抜き取り作業を行っている途中の状態を示すカード媒体挿入部近傍の部分拡大斜視図。
【図１２】本考案の実施例におけるカバーによるカード媒体の抜き取り作業を行っている途中の状態を示すカード媒体挿入部近傍の断面図。
【図１３】本考案の実施例におけるカバーによるカード媒体の抜き取り作業が完了した状態を示すカード媒体挿入部近傍の部分拡大斜視図。
【図１４】本考案の実施例におけるカバーによるカード媒体の抜き取り作業が完了した状態を示すカード媒体挿入部近傍の断面図。
【考案を実施するための形態】
【００１４】
以下、本考案を実施するための最良の形態としての実施例を図１〜図１４を用いて説明する。なお、本考案はその主旨に反しない範囲で、実施例において説明した構成以外のものに対しても容易に適用可能である。
【００１５】
図１は本考案の実施例におけるカード媒体挿入部を備えた電子機器として、テレビジョン受像機を示す正面側斜視図、図２は同背面側斜視図である。同図で示すように、本実施例のテレビジョン受像機１は、正面側においてフロントキャビネット１３に形成された開口部より表示部１１が露出し、背面側はバックキャビネット１４が組み付けられて閉塞された本体１０と、前記本体１０の下方側に取り付けられた脚部１２によって構成されている。そして、前記本体１０のバックキャビネット１４には後述するカード媒体の挿抜を可能とするカード媒体挿入部がカバー２によって閉塞されており、ネジ３によって前記可カバー２が不用意に取り外されるのを防止している。
【００１６】
図３は本考案の実施例におけるカード媒体挿入部のカバーを取り外した状態を示すテレビジョン受像機の背面側斜視図である。バックキャビネット１４のカバー２を固定しているネジ３を、ドライバーを用いて取り外すことによって、同図で示すように、前記バックキャビネット１４から前記カバー２を取り外すことが出来、前記バックキャビネット１４に設けられたカード媒体挿入部４に対してカード媒体５の挿入が可能となる。
【００１７】
図４は本考案の実施例におけるカード媒体挿入口にカード媒体を挿入する前の状態を示すカード媒体挿入部近傍の部分拡大斜視図、図５は本考案の実施例におけるカード媒体挿入口にカード媒体を挿入した後の状態を示すカード媒体挿入部近傍の部分拡大斜視図である。前記カード媒体挿入部４にはカード媒体挿入口４２が形成されており、図４で示すように前記カード媒体挿入口４２に対してカード媒体５をユーザーが指で押し込んで挿入するならば、図５で示すように前記カード媒体挿入口４２に前記カード媒体５を挿入することが出来る。ここで、本実施例では勝手にカード媒体挿入口４２からカード媒体５を抜き取る行為を防止するために、前記カード媒体挿入口４２に挿入されたカード媒体５の前記カード媒体挿入口４２からの飛出し量を少なくするのが好ましい。また、一度カード媒体挿入口４２に挿入されたカード媒体５が指によって簡単に抜き取られる行為を防止する凹みや壁をバックキャビネット１４のカード媒体挿入部４に設けることが望ましく、挿入するカード媒体５の大きさやバックキャビネットに設ける前記カード媒体挿入部４の形状に応じて適宜選定すればよい。
【００１８】
次に、カード媒体挿入口４２に挿入されたカード媒体を抜き取るための方法について図６〜図１４を用いて説明する。
【００１９】
図６は本考案の実施例におけるカード媒体挿入部のカバーによるカード媒体の抜き取りを示すテレビジョン受像機の背面側斜視図である。同図で示すように、本実施例ではカード媒体挿入部４を閉塞するカバー２にスリット状の挟持部２１を設けており、前記カバー２を用いてカード媒体挿入口４２に挿入されたカード媒体５の抜き取りが可能な構造としている。
【００２０】
図７は本考案の実施例におけるカバーによるカード媒体の抜き取り作業を行う前の状態を示すカード媒体挿入部近傍の部分拡大斜視図、図８は同断面図である。バックキャビネット１４に設けられたカード媒体挿入部４にはカバー２の厚み以上の幅を有する溝４１が形成されており、同図で示すように前記溝４１にカバー２の端部を合わせて矢印の方向へスライドさせる。このとき、カード媒体挿入口４２に挿入されたカード媒体５に前記カバー２の挟持部２１を対向させて配置する。
【００２１】
図９は本考案の実施例におけるカバーを用いてカード媒体の一端を挟持した状態を示すカード媒体挿入部近傍の部分拡大斜視図、図１０は同断面図である。溝４１に沿ってスライドさせたカバー２の挟持部２１によってカード媒体挿入口４２に挿入されているカード媒体５の一端を挟持し、同図で示す矢印の方向に前記カバー２をスライドさせる。このとき、カード媒体５の一端が挟持部２１によって挟持された状態を維持するために、図で示すカバー２の上部２２を指で軽く押さえながらスライドさせるのが好ましい。
【００２２】
図１１は本考案の実施例におけるカバーによるカード媒体の抜き取り作業を行っている途中の状態を示すカード媒体挿入部近傍の部分拡大斜視図、図１２は同断面図である。同図で示すように、カバー２を挟持部２１にカード媒体５の一端を挟持させたまま矢印の方向へ溝４１に沿ってスライドすることで、前記カード媒体５をカード媒体挿入口４２から抜き取ることが出来る。
【００２３】
図１３は本考案の実施例におけるカバーによるカード媒体の抜き取り作業が完了した状態を示すカード媒体挿入部近傍の部分拡大斜視図、図１４は同断面図である。同図で示すように、カバー２によってカード媒体５の抜き取りが完了すれば、ユーザーは前記カバー２の挟持部２１から前記カード媒体５を外すだけで良い。すなわち、本実施例ではカード媒体挿入部４を閉塞するカバーに挿入されたカード媒体の抜き取り機能を比較的簡単な形状によって実現出来、前記カード媒体の盗難を防止するための複雑な構造や特別な部品を必要とせず、また、挿入された前記カード媒体の抜き取りにおいても特別な工具を用いず前記カバーにカード媒体の抜き取り機能を兼用して実現することが出来る。
【００２４】
以上、本考案の一実施例について詳述したが、本考案は前記実施例に限定されるものではなく、本考案の主旨の範囲内で種々の変形実施が可能である。例えば、本考案の実施例では、テレビジョン受像機１のバックキャビネット１４にカード媒体挿入部４を設けた場合について説明したが、例えば、フロントキャビネット１３や脚部１２に前記カード媒体挿入部４を設けてもよい。また、本考案の実施例では電子機器としてカード媒体５の挿入が可能なテレビジョン受像機１を例に説明したが、例えば、ＳＴＢや記録再生装置等、カード媒体の挿入が可能な電子機器全般において本考案の技術は適用可能であるとともに、本考案の主たる特徴を逸脱しない範囲において構造や部品の形状についても適宜選定することが可能である。
【符号の説明】
【００２５】
１    テレビジョン受像機（電子機器）
１０  本体
１１  表示部
１２  脚部
１３  フロントキャビネット
１４  バックキャビネット
２    カバー
２１  挟持部
２２  上部
３    ネジ
４    カード媒体挿入部
４１  溝
４２  カード媒体挿入口
５    カード媒体
【図１】
0003165883.tif 000003
【図２】
0003165883.tif 000004
【図３】
0003165883.tif 000005
【図４】
0003165883.tif 000006
【図５】
0003165883.tif 000007
【図６】
0003165883.tif 000008
【図７】
0003165883.tif 000009
【図８】
0003165883.tif 000010
【図９】
0003165883.tif 000011
【図１０】
0003165883.tif 000012
【図１１】
0003165883.tif 000013
【図１２】
0003165883.tif 000014
【図１３】
0003165883.tif 000015
【図１４】
0003165883.tif 000016